(57)【要約】【課題】単一の周回方向に沿って被包装物を包装する吊下げ包装帯において、被包装物を包装する作業の困難性が高まることを抑え、かつ、吊下げ包装帯による被包装物の保持性能を高めることを可能とした吊下げ包装帯、および、吊下げ包装物品を提供する。【解決手段】保存容器１０を囲む単一の周回方向に沿って保存容器１０を包み、保存容器１０を包む状態で吊下げ具に吊下げられる吊下げ包装帯２０であって、周回方向に沿って折れ曲がる角部Ｃ４を有した帯本体２１を備え、角部Ｃ４は、周回方向と交差する方向に延在する稜線Ｌ４，ＬＭであって、周回方向に沿って帯本体２１を折り曲げる稜線Ｌ４，ＬＭを備える。【選択図】図１
2018012542.tif 000002
【特許請求の範囲】
【請求項１】
被包装物を囲む単一の周回方向に沿って前記被包装物を包み、前記被包装物を包む状態で吊下げ具に吊下げられる吊下げ包装帯であって、
前記周回方向に沿って折れ曲がる二つ以上の角部を有した帯本体を備え、
少なくとも一つの前記角部は、前記周回方向と交差する方向に延在する稜線であって、前記周回方向に沿って前記帯本体を折り曲げる複数の前記稜線を備える
吊下げ包装帯。
【請求項２】
前記帯本体は、
前記吊下げ具に吊下げられる吊下げ片と、
前記吊下げ片に接続し、前後方向に並ぶ一対の稜線に挟まれた天面部とを備え、
前記天面部において前記吊下げ片と接続する部位と、前記被包装物の重心位置とは、前記前後方向において一致する
請求項１に記載の吊下げ包装帯。
【請求項３】
前記帯本体は、
帯片における延在方向の両端部が相互に接続した前記周回方向に沿う環状体であり、
前記両端部は、上側端部と、前記上側端部の下側に重なる下側端部とから構成され、
前記下側端部は、前記吊下げ具に吊下げられる吊下げ片であって、折り曲げ線と前記折り曲げ線よりも後側に位置する切り離し線とに囲まれた前記吊下げ片を含み、前記切り離し線では、前記吊下げ片以外の他部から前記吊下げ片が切り離されており、
前記上側端部は、前記下側端部のなかの前記折り曲げ線よりも前側と重なる
請求項１に記載の吊下げ包装帯。
【請求項４】
前記上側端部と前記下側端部とは糊付けによって相互に接続されている
請求項３に記載の吊下げ包装帯。
【請求項５】
前記吊下げ片は、
前記折り曲げ線と接続する端部である基端部と、
前記基端部とは反対側の端部である先端部と、
前記基端部と前記先端部とを接続する一対の側縁部とを備え、
前記側縁部は、前記一対の側縁部の間の距離を前記基端部まで縮小させる傾斜辺を含む
請求項４に記載の吊下げ包装帯。
【請求項６】
被包装物と、
前記被包装物を囲む単一の周回方向に沿って前記被包装物を包み、前記被包装物を包む状態で吊下げ具に吊下げられる吊下げ包装帯とを備え、
前記吊下げ包装帯は、
前記周回方向に沿って折れ曲がる二つ以上の角部を有した帯本体を備え、
少なくとも一つの前記角部は、前記周回方向と交差する方向に延在する稜線であって、前記周回方向に沿って前記帯本体を折り曲げる複数の前記稜線を備える
吊下げ包装物品。
【請求項７】
前記帯本体は、
前記吊下げ具に吊下げられる吊下げ片と、
前記吊下げ片に接続し、前後方向に並ぶ一対の稜線に挟まれた天面部とを備え、
前記天面部において前記吊下げ片と接続する部位と、前記被包装物の重心位置とは、前記前後方向において一致する
請求項６に記載の吊下げ包装物品。
【発明の詳細な説明】
【技術分野】
【０００１】
本発明は、被包装物を包装した状態で吊下げられる吊下げ包装帯、および、吊下げ包装帯を備えた吊下げ包装物品に関する。
【背景技術】
【０００２】
被包装物を吊下げるための包装帯として、相互に交差する二つの帯を備えた一枚のブランクが知られる。一枚のブランクが備える各帯は、被包装物の底部と頂部とで交差し、被包装物における前後両側を一方の帯が包み、包装物における左右両側を他方の帯が包む（例えば、特許文献１を参照）。
【先行技術文献】
【特許文献】
【０００３】
【特許文献１】特開２００３−１２８１２７号公報
【発明の概要】
【発明が解決しようとする課題】
【０００４】
ところで、上述した一枚のブランクを矩形の原紙から切り出す際には、二つの帯を形取るために、矩形の原紙における四隅の領域を切り捨てることになる。この点、単一の帯を備える吊下げ包装帯であれば、上述した吊下げ包装帯と比べて、原紙の使用量を抑えることが可能である。
【０００５】
一方、被包装物の角部が有する形状は、被包装物の意匠性や機能性を高めるために、丸みをおびた曲面を有する場合がある。この際、矩形の環状に折り曲げられた単一の帯によって被包装物が包装されると、折り曲げられた帯における角部と、丸みを帯びた被包装物の角部との隙間が広がる。この隙間の不要な拡大は、単一の帯が形成する環内から被包装物が抜け落ちることを引き起こす。
【０００６】
他方、単一の帯における角部と、被包装物の角部との隙間を小さくするために、単一の帯の全長を短くすると、隙間を小さくする程度の高い張力が、単一の帯に対してその周方向に作用する。この張力の過剰な増大は、単一の帯で被包装物を包装する作業の困難性を高める。
【０００７】
本発明は、単一の周回方向に沿って被包装物を包装する吊下げ包装帯において、被包装物を包装する作業の困難性が高まることを抑え、かつ、吊下げ包装帯による被包装物の保持性能を高めることを可能とした吊下げ包装帯、および、吊下げ包装物品を提供することを目的とする。
【課題を解決するための手段】
【０００８】
上記課題を解決するための吊下げ包装帯は、被包装物を囲む単一の周回方向に沿って前記被包装物を包み、前記被包装物を包む状態で吊下げ具に吊下げられる吊下げ包装帯であって、前記周回方向に沿って折れ曲がる二つ以上の角部を有した帯本体を備え、少なくとも一つの前記角部は、前記周回方向と交差する方向に延在する稜線であって、前記周回方向に沿って前記帯本体を折り曲げる複数の前記稜線を備える。
【０００９】
上記課題を解決するための吊下げ包装物品は、被包装物と、前記被包装物を囲む単一の周回方向に沿って前記被包装物を包み、前記被包装物を包む状態で吊下げ具に吊下げられる吊下げ包装帯とを備え、前記吊下げ包装帯は、前記周回方向に沿って折れ曲がる二つ以上の角部を有した帯本体を備え、少なくとも一つの前記角部は、前記周回方向と交差する方向に延在する稜線であって、前記周回方向に沿って前記帯本体を折り曲げる複数の前記稜線を備えてもよい。
【００１０】
上記各構成によれば、少なくとも一つの角部が、稜線で折り曲げられた複数の折り曲げ箇所を含む。複数の折り曲げ箇所を含む角部は、被包装物の形状に追従した形状を有しやすい。結果として、帯本体の角部と被包装物の角部との相対的な位置のずれを抑えて、吊下げ包装帯による被包装物の保持性能を高めることが可能となる。
【００１１】
この際、帯本体の形状と被包装物の形状との整合によって、帯本体の角部と被包装物の角部との隙間の縮小が実現され、かつ、帯本体に作用する張力が各稜線で分解されるため、周回方向で張力が過剰に高まることが抑えられる。それゆえに、吊下げ包装帯で被包装物を包装する作業の困難性が高まることを抑え、かつ、吊下げ包装帯による被包装物の保持性能を高めることが可能となる。
【００１２】
上記吊下げ包装帯において、前記帯本体は、前記吊下げ具に吊下げられる吊下げ片と、前記吊下げ片に接続し、前後方向に並ぶ一対の稜線に挟まれた天面部とを備え、前記天面部において前記吊下げ片と接続する部位と、前記被包装物の重心位置とは、前記前後方向において一致してもよい。
【００１３】
上記各構成によれば、被包装物を保持した状態で吊下げ包装帯が吊下げられるときに、天面部の前端が下がったり、あるいは、天面部の後端が下がったりすることが抑えられる。それゆえに、吊下げられた吊下げ包装帯におけるその状態の安定性を高めることが可能である。例えば、複数の吊下げ包装帯が陳列される場合に、各吊下げ包装帯の状態を揃えて、陳列された複数の吊下げ包装帯における美観を向上させることが可能ともなる。
【００１４】
上記吊下げ包装帯において、前記帯本体は、帯片における延在方向の両端部が相互に接続した前記周回方向に沿う環状体であり、前記両端部は、上側端部と、前記上側端部の下側に重なる下側端部とから構成され、前記下側端部は、前記吊下げ具に吊下げられる吊下げ片であって、折り曲げ線と前記折り曲げ線よりも後側に位置する切り離し線とに囲まれた前記吊下げ片を含み、前記切り離し線では、前記吊下げ片以外の他部から前記吊下げ片が切り離されており、前記上側端部は、前記下側端部のなかの前記折り曲げ線よりも前側と重なってもよい。
【００１５】
被包装物を保持した状態で吊下げ包装帯が吊下げられるとき、上側端部と下側端部とは、これらを下方へ引っ張るように、被包装物の荷重を受ける。この際、吊下げ片の下端に位置する折り曲げ線は、吊下げ片の張力を抗力として、吊下げ具に支持される。一方、折り曲げ線の延在方向において、折り曲げ線の端の周囲は、その周囲における張力の一部を垂直抗力として、折り曲げ線の端に支持される。そして、折り曲げ線の端に作用する荷重は、折り曲げ線の端を起点として、切り離し線を延長するような、下側端部に対する引裂き力となる。
この点、上記吊下げ包装帯によれば、下側端部の上側に上側端部が接続される。そして、下側端部のなかで上側端部が接続する位置が、切り離し線を延長した部位である。そのため、下側端部において引裂き力に対する耐性を高めること、ひいては、吊下げ包装帯の有する耐久性を高めることが可能である。
上記吊下げ包装帯において、前記上側端部と前記下側端部とは糊付けによって相互に接続されてもよい。
上記吊下げ包装帯によれば、吊下げ包装帯の有する耐久性を高めることの効果を、より確実なものとすることが可能である。
【００１６】
上記吊下げ包装帯において、前記吊下げ片は、前記折り曲げ線と接続する端部である基端部と、前記基端部とは反対側の端部である先端部と、前記基端部と前記先端部とを接続する一対の側縁部とを備え、前記側縁部は、前記一対の側縁部の間の距離を前記基端部まで縮小させる傾斜辺を含んでもよい。
【００１７】
上記吊下げ包装帯によれば、一対の側縁部の間の距離が基端部まで縮小するため、こうした縮小を有しない構成と比べて、折り曲げ線の長さが短い。そして、折り曲げ線の端よりも外側となる部分の大きさが、下側端部において拡大する。そのため、下側端部と上側端部との糊付けされる部分を拡大すること、ひいては、吊下げ包装帯の有する耐久性を、さらに高めることが可能となる。
【発明の効果】
【００１８】
本発明によれば、単一の周回方向に沿って被包装物を包装する吊下げ包装帯において、被包装物を包装する作業の困難性が高まることを抑え、かつ、吊下げ包装帯による被包装物の保持性能を高めることが可能となる。
【図面の簡単な説明】
【００１９】
【図１】吊下げ包装物品の一実施形態における斜視構造を示す斜視図。
【図２】吊下げ包装物品の側面構造を示す側面図。
【図３】吊下げ包装物品の変形例における斜視構造を示す斜視図。
【発明を実施するための形態】
【００２０】
一実施の形態における吊下げ包装帯、および、吊下げ包装物品を図１から図３を参照して説明する。
図１が示すように、吊下げ包装物品は、被包装物の一例である保存容器１０と、吊下げ包装帯２０とを備える。保存容器１０は、容器本体１１と蓋体１２とを備える。
【００２１】
容器本体１１は、有底の逆円錐台状を有する。容器本体１１の底部における周縁部１１Ｅは、容器本体１１の底部から、容器本体１１の開口フランジ１１Ｆに向けて、容器本体１１の径方向外側に膨大するように、丸みを帯びている。すなわち、容器本体１１の底部は、半球面の一部を底面で切り欠いた形状を有する。容器本体１１の開口フランジ１１Ｆは、蓋体１２に嵌め込まれる。円盤状を有する蓋体１２は、蓋体１２の周方向に等配された４つの摘み部１２Ｅを備える。
【００２２】
吊下げ包装帯２０は、１枚の板紙である帯片から構成される。吊下げ包装帯２０は、帯本体２１と吊下げ片２２とを備える。帯本体２１は、保存容器１０を囲む環状体であり、単一の周回方向に延在する。帯本体２１は、正面部２１Ｆ、背面部２１Ｂ、天面部２１Ｔ、および、底面部２１Ｕを備える。
【００２３】
正面部２１Ｆは、４つの摘み部１２Ｅに周縁が囲まれる円板状を有する。上下方向において、正面部２１Ｆは、蓋体１２とほぼ同一の長さを有する。正面部２１Ｆは、蓋体１２と対向する位置に配置される。
背面部２１Ｂは、上下方向に延びる帯状を有する。上下方向において、背面部２１Ｂは、容器本体１１の底部とほぼ同じ長さを有する。背面部２１Ｂは、容器本体１１の底部と対向する位置に配置される。
【００２４】
天面部２１Ｔは、前後方向に延びる帯状を有する。前後方向において、天面部２１Ｔは、保存容器１０とほぼ同じ長さを有する。天面部２１Ｔは、保存容器１０の周囲のなかで、上方に向いた部分と対向する位置に配置される。
底面部２１Ｕは、前後方向に延びる帯状を有する。前後方向において、底面部２１Ｕは、保存容器１０とほぼ同じ長さを有する。底面部２１Ｕは、保存容器１０の周囲のなかで、下方に向いた部分と対向する位置に配置される。
【００２５】
天面部２１Ｔの後端部と、背面部２１Ｂの上端部とは、一体であり、帯本体２１の周回方向と直交する方向に延びる１本の稜線Ｌ１を介して接続されている。天面部２１Ｔの後端部と、背面部２１Ｂの上端部とは、一本の稜線Ｌ１で折り曲げられた１つの角部Ｃ１を構成する。
【００２６】
天面部２１Ｔの前端部と、正面部２１Ｆの上端部とは、一体であり、帯本体２１の周回方向と直交する方向に延びる１本の稜線Ｌ２を介して接続されている。天面部２１Ｔの前端部と、正面部２１Ｆの上端部とは、一本の稜線Ｌ２で折り曲げられた１つの角部Ｃ２を構成する。
【００２７】
底面部２１Ｕの前端部と、正面部２１Ｆの下端部とは、一体であり、帯本体２１の周回方向と直交する方向に延びる１本の稜線Ｌ３を介して接続されている。底面部２１Ｕの前端部と、正面部２１Ｆの下端部とは、一本の稜線Ｌ３で折り曲げられた１つの角部Ｃ３を構成する。
【００２８】
底面部２１Ｕの後端部と、背面部２１Ｂの下端部とは、一体であり、帯本体２１の周回方向と直交する方向に延びる１本の稜線Ｌ４を介して接続されている。底面部２１Ｕは、背面部２１Ｂの近傍に、１本の稜線ＬＭをさらに備える。背面部２１Ｂの近傍とは、前後方向における底面部２１Ｕの中央よりも背面部２１Ｂ側の領域であり、さらには、稜線Ｌ４と稜線ＬＭとの距離が、前後方向における底面部２１Ｕの１／３以下の長さである領域である。底面部２１Ｕの後端部と、背面部２１Ｂの下端部とは、稜線Ｌ４と稜線ＬＭとで折り曲げられた１つの角部Ｃ４を構成する。帯本体２１の角部Ｃ４は、２本の稜線Ｌ４，ＬＭによって折り曲げられた箇所を含む。帯本体２１の角部Ｃ４は、容器本体１１の底部が有する曲面形状に追従した形状を有する。
【００２９】
帯本体２１は、単一の帯片から構成され、帯片の延在方向における両端部が、相互に接続されている。帯本体２１の両端部は、上側端部ＴＥと、上側端部ＴＥの下側に重なる下側端部ＵＥとである。上側端部ＴＥの下面と、下側端部ＵＥの上面とは、糊付けによって相互に接続されている。
【００３０】
下側端部ＵＥには、吊下げ具に吊下げられる吊下げ片２２に接続されている。吊下げ片２２は、下側端部ＵＥにおいて折り曲げ線ＬＫで折り曲げられた紙片である。吊下げ片２２は、吊下げ片２２を貫通する貫通孔２３を備える。吊下げ片２２は、貫通孔２３に吊下げ具が通されることによって、吊下げ具に吊下げられる。
吊下げ片２２は、折り曲げ線ＬＫと接続する端部である基端部と、基端部とは反対側の端部である先端部２５とを備える。また、吊下げ片２２は、基端部と先端部２５とを接続する一対の側縁部２４を備える。
【００３１】
下側端部ＵＥにおいて折り曲げられる前の吊下げ片２２は、折り曲げ線ＬＫと、折り曲げ線ＬＫよりも後側に位置する切り離し線ＬＣとに囲まれた領域である。吊下げ片２２は、切り離し線ＬＣにおいて吊下げ片２２以外の他部から切り離される。上側端部ＴＥは、下側端部ＵＥのなかで折り曲げ線ＬＫよりも前側と重なっている。
【００３２】
図２が示すように、帯本体２１は、前後方向に並ぶ一対の稜線Ｌ１，Ｌ２に挟まれた天面部２１Ｔを備える。天面部２１Ｔにおいて吊下げ片２２と接続する部位は、折り曲げ線ＬＫであり、前後方向における折り曲げ線ＬＫの位置は、前後方向における保存容器１０の重心位置ＰＧと一致している。
【００３３】
次に、吊下げ包装帯２０、および、吊下げ包装物品の作用を説明する。
上述したように、帯本体２１の角部Ｃ４は、２本の稜線Ｌ４，ＬＭによって折り曲げられた箇所を含み、容器本体１１における底部の曲面形状に追従した形状を有する。丸みを帯びた容器本体１１の底部における角部と、折り曲げられた帯本体２１における角部Ｃ４との隙間の大きさは、例えば、矩形の環状を有する場合の帯本体２１と比べて、小さい。そのため、容器本体１１の角部と帯本体２１の角部Ｃ４との相対的な位置のずれを抑えること、それによって、吊下げ包装帯２０から保存容器１０が抜け落ちることが抑えられる。
【００３４】
この際、帯本体２１の角部Ｃ４が有する形状と、容器本体１１の底部が有する形状との整合によって、帯本体２１の角部Ｃ４と、容器本体１１の底部との隙間の縮小が実現されている。また、帯本体２１に作用する張力が、各稜線Ｌ４，ＬＭで分解されるため、帯本体２１の底面部２１Ｕや背面部２１Ｂにおいて、周回方向での張力が過剰に高まることが抑えられる。
【００３５】
他方、例えば、天面部２１Ｔのように、帯本体２１の角部Ｃ１と、容器本体１１の底部との隙間の縮小が、天面部２１Ｔに作用する前後方向への張力などによって実現されると、天面部２１Ｔの形状は、天面部２１Ｔが容器本体１１の側面に密着する程度にまで、変形する。仮に、天面部２１Ｔと底面部２１Ｕとの両方が、それの隙間を小さくする程度にまで、高い強い張力を作用させるとなると、環状を有した吊下げ包装帯２０内に保存容器１０を押し込み、それによって、吊下げ包装帯２０で保存容器１０を包装する作業は、非常に困難なものとなる。
【００３６】
この点、帯本体２１の角部Ｃ４が２本の稜線Ｌ４，ＬＭによって折り曲げられた構造である場合、上述する程の張力を作用させることなく、帯本体２１の角部Ｃ４が有する形状と、容器本体１１の底部が有する形状との整合が可能となる。それゆえに、吊下げ包装帯２０で保存容器１０を包装する作業の困難性が高まることを抑え、かつ、吊下げ包装帯２０における保存容器１０の保持性能を高めることが可能となる。
【００３７】
保存容器１０を保持した状態で吊下げ包装帯２０が吊下げ具に吊下げられるとき、上側端部ＴＥと下側端部ＵＥとは、これらを下方へ引っ張るように、保存容器１０の荷重を受ける。この際、吊下げ片２２の下端に位置する折り曲げ線ＬＫは、吊下げ片２２の張力を抗力として、吊下げ具に支持される。
【００３８】
一方、折り曲げ線ＬＫの延在方向における折り曲げ線ＬＫの端の周囲は、その周囲に作用する張力の一部を垂直抗力として、折り曲げ線ＬＫの端に支持される。そして、折り曲げ線ＬＫの端に作用する荷重は、折り曲げ線ＬＫの端を起点として、切り離し線ＬＣを前後方向へ延長するような、下側端部ＵＥに対する引裂き力となる。
【００３９】
この点、吊下げ包装帯２０によれば、下側端部ＵＥの上側に上側端部ＴＥが接続される。しかも、下側端部ＵＥのなかで上側端部ＴＥの接続する位置が、切り離し線ＬＣを延長する部位である。そのため、下側端部ＵＥに対する引裂き力の耐性を、上側端部ＴＥの耐性の付加によって高めることが可能である。
【００４０】
以上、上記実施の形態によれば、以下に列挙する効果が得られる。
（１）保存容器１０を包装する作業の困難性が高まることを抑え、かつ、吊下げ包装帯２０における保存容器１０の保持性能を高めることが可能となる。
【００４１】
（２）前後方向において、保存容器１０の重心位置ＰＧと、吊下げ片２２の位置とが一致するため、吊下げられた吊下げ包装帯２０の状態を安定させることが可能となる。そのため、複数の吊下げ包装帯２０が陳列される場合などでは、各吊下げ包装物品の状態を揃えて、陳列された複数の吊下げ包装物品における美観を向上させることが可能ともなる。
【００４２】
（３）吊下げ片２２の接続先である下側端部ＵＥにおいて、引裂き力に対する耐性が高まるため、吊下げ包装帯２０の有する耐久性を高めることが可能である。
【００４３】
なお、上記実施形態は、以下のように変更して実施することができる。
［吊下げ片２２］
・左右方向における折り曲げ線ＬＫの位置は、左右方向においても保存容器１０の重心位置ＰＧと一致するように変更できる。この配置であれば、上記（２）に準じた効果を、吊下げ包装物品における左右方向においても得られる。
【００４４】
・折り曲げ線ＬＫの位置は、前後方向、および、左右方向において、重心位置ＰＧとは異なってもよい。この配置であっても、上記（１）、（３）に準じた効果を得ることはできる。
【００４５】
・図３が示すように、各側縁部２４は、折り曲げ線ＬＫから延びる傾斜部２４Ｅを備える。一対の側縁部２４の間の距離は、吊下げ片２２の基端部までその基端部に向けて縮小する。この一対の傾斜部２４Ｅを備える構成であれば、傾斜部２４Ｅを備えない構成と比べて、折り曲げ線ＬＫの長さが短くなる。そして、下側端部ＵＥにおいては、折り曲げ線ＬＫの端よりも外側となる部分の大きさが、折り曲げ線ＬＫの延在方向である左右方向において拡大する。そのため、下側端部ＵＥと上側端部ＴＥとの糊付けされる部分を拡大し、上記（３）に準じた効果に基づき、吊下げ包装帯２０の有する耐久性を、さらに高めることが可能となる。
【００４６】
・吊下げ片２２は、上側端部ＴＥから後方に延びる紙片であって、上側端部ＴＥに対して折り曲げられた紙片として構成することも可能である。あるいは、下側端部に接続された下側吊下げ片と、上側端部に接続された上側吊下げ片とが糊付けされ、それによって、１つの吊下げ片として構成することも可能である。
【００４７】
・吊下げ片２２は、例えば、上側端部ＴＥに位置するスリットに嵌合する嵌合爪を備えた紙片、あるいは、下側端部ＵＥに位置するスリットに嵌合する嵌合爪を備えた紙片など、帯本体２１とは別体の構造体として構成することも可能である。
【００４８】
［帯本体２１］
・上側端部ＴＥと下側端部ＵＥとの接続は、これらの糊付けに限らず、例えば、上側端部ＴＥがスリットを備え、下側端部ＵＥが嵌合爪を備え、スリットと嵌合爪との嵌合による接続にも具体化される。
【００４９】
・帯本体２１を構成する帯片の両端部の位置は、すなわち、上側端部ＴＥと下側端部ＵＥとの位置は、天面部２１Ｔに限らず、背面部２１Ｂ、あるいは、底面部２１Ｕに具体化することも可能である。
【００５０】
・複数の稜線を含む角部は、角部Ｃ４に限らず、角部Ｃ１であってもよいし、角部Ｃ２であってもよいし、角部Ｃ３であってもよい。また、複数の稜線を含む角部において、稜線の本数は、２本に限らず、３本以上に具体化される。
・吊下げ包装帯２０の備える角部の数量は、４つに限らず、２つや３つであってもよいし、５以上であってもよい。
【符号の説明】
【００５１】
Ｃ１，Ｃ２，Ｃ３，Ｃ４…角部、Ｌ１，Ｌ２，Ｌ３，Ｌ４，ＬＭ…稜線、ＬＣ…切り離し線、ＬＫ…折り曲げ線、ＰＧ…重心位置、ＴＥ…上側端部、ＵＥ…下側端部、１０…保存容器、１１…容器本体、１１Ｅ…周縁部、１１Ｆ…開口フランジ、１２…蓋体、１２Ｅ…摘み部、２０…吊下げ包装帯、２１…帯本体、２１Ｂ…背面部、２１Ｆ…正面部、２１Ｔ…天面部、２１Ｕ…底面部、２２…吊下げ片、２３…貫通孔、２４…側縁部、２５…先端部。
【図１】
2018012542.tif 000003
【図２】
2018012542.tif 000004
【図３】
2018012542.tif 000005